(57)【要約】【課題】カバー体を指で単に押すだけで針が露出してしまうようなこともなく、針が確実に被覆され、安全に取り扱うことができるコンパスやデバイダのような針を有した製図用具を提供する。【解決手段】コンパスやデバイダのように脚部４の下端から突出する針３を備えた製図用具において、脚部の下半部の側面に下部溝８ａと中間部溝８ｂと上部溝８ｃとをクランク状に屈折した形態に穿設してなる案内溝８を形成し、該脚部を挟着し得る横断面コ字形に形成されたカバー体７の内側面に該案内溝に遊嵌する下部突起１２と上部突起１３とを形成し、下部突起を下部溝の下端に位置させ上部突起を該下部溝の上端に位置させることでカバー体が下降状態に保持されて該カバー体の下部により針が被覆されると共に、上部突起が中間部溝を経て上部溝に移動するように該カバー体を該案内溝のクランク状の屈折に沿って一旦傾動させて上方にスライドすることにより針が該カバー体の下部より露出するようにした。【選択図】図６
2006239951.tif 000002
【特許請求の範囲】
【請求項１】
コンパスやデバイダのように脚部の下端から突出する針を備えた製図用具において、脚部の下半部の側面に下部溝と中間部溝と上部溝とをクランク状に屈折した形態に穿設してなる案内溝を形成し、該脚部を挟着し得る横断面コ字形に形成されたカバー体の内側面に該案内溝に遊嵌する下部突起と上部突起とを形成し、下部突起を下部溝の下端に位置させ上部突起を該下部溝の上端に位置させることでカバー体が下降状態に保持されて該カバー体の下部により針が被覆されると共に、上部突起が中間部溝を経て上部溝に移動するように該カバー体を該案内溝のクランク状の屈折に沿って一旦傾動させて上方にスライドすることにより針が該カバー体の下部より露出するようにしたことを特徴とするコンパスやデバイダのような針を備えた製図用具のカバー装置。
【請求項２】
コンパスやデバイダのように脚部の下端から突出する針を備えた製図用具において、脚部の下半部の両側面に下部溝と中間部溝と上部溝とをクランク状に屈折した形態に穿設してなる案内溝を形成し、該脚部を挟着し得る横断面コ字形に形成されたカバー体の相対する両内側面に該案内溝に遊嵌する下部突起と上部突起とを形成し、下部突起を下部溝の下端に位置させ上部突起を該下部溝の上端に位置させることでカバー体が下降状態に保持されて該カバー体の下部により針が被覆されると共に、上部突起が中間部溝を経て上部溝に移動するように該カバー体を該案内溝のクランク状の屈折に沿って一旦傾動させて上方にスライドすることにより針が該カバー体の下部より露出するようにしたことを特徴とするコンパスやデバイダのような針を備えた製図用具のカバー装置。
【発明の詳細な説明】
【技術分野】
【０００１】
本発明は、コンパスやデバイダのような針を有した製図用具において、針を覆うカバー体を設けることにより、誤って手を刺す等の危険をなくし、安全に取り扱いできるようにするカバー装置に関するものである。
【背景技術】
【０００２】
コンパスやデバイダのような針を備えた製図用具において、その危険な針部分を覆うカバー体を設けたものは、従来から下記特許文献１〜４に示されたように、脚部にカバー体を回転式にヒンジしたものが知られている。また、特許文献５に示された製図用具は、脚部の側面に針カバーを上下にスライド可能に設けると共に、該針カバー内に形成された凸部を脚部の側面に形成された凹部に係合させることで、針を露出状態または被覆状態にする構造のものである。
【特許文献１】特開平１０−１９３８７７号公報
【特許文献２】特開平１１−３０１１７５号公報
【特許文献３】登録実用新案第３０５８０９９号公報
【特許文献４】登録実用新案第３０５３５２５号公報
【特許文献５】特開２００３−２５１９９５号公報
【発明の開示】
【発明が解決しようとする課題】
【０００３】
ところで、上記従来の回転式カバー体を設けたものでは、使用時にカバー体が障害となって針先が見難くなる欠点があるほか、ヒンジ部の締め付けがルーズになるとカバー体がふらつくため指が触れただけで針を露出させてしまう危険がありこのために常に適度な回転抵抗に設定されるような機構を要し製造コストが高くなるという問題がある。
一方、上記従来のスライド式は、プラスチック等で成形されるカバー体の弾性によって凸部を凹部に係脱させ、針を露出状態または被覆状態に保持するものであったので、その弾性に優る程度にカバー体を指で上方に押すだけで針が露出してしまうおそれがあり、カバー体の成形精度が悪いとその弾性が適正に働かないという問題があった。また、カバー体をスライドさせる度に凸部が摩耗するので、針を被覆状態に保持することが一層困難になるものであった。
本発明はこのような従来の問題点を解消しようとするものである。
【課題を解決するための手段】
【０００４】
そのために請求項１に記載したカバー装置は、コンパスやデバイダのように脚部の下端から突出する針を備えた製図用具において、脚部の下半部の側面に下部溝と中間部溝と上部溝とをクランク状に屈折した形態に穿設してなる案内溝を形成し、該脚部を挟着し得る横断面コ字形に形成されたカバー体の内側面に該案内溝に遊嵌する下部突起と上部突起とを形成し、下部突起を下部溝の下端に位置させ上部突起を該下部溝の上端に位置させることでカバー体が下降状態に保持されて該カバー体の下部により針が被覆されると共に、上部突起が中間部溝を経て上部溝に移動するように該カバー体を該案内溝のクランク状の屈折に沿って一旦傾動させて上方にスライドすることにより針が該カバー体の下部より露出するようにしたことを特徴とする。
また請求項２に記載したカバー装置は、コンパスやデバイダのように脚部の下端から突出する針を備えた製図用具において、脚部の下半部の両側面に下部溝と中間部溝と上部溝とをクランク状に屈折した形態に穿設してなる案内溝を形成し、該脚部を挟着し得る横断面コ字形に形成されたカバー体の相対する両内側面に該案内溝に遊嵌する下部突起と上部突起とを形成し、下部突起を下部溝の下端に位置させ上部突起を該下部溝の上端に位置させることでカバー体が下降状態に保持されて該カバー体の下部により針が被覆されると共に、上部突起が中間部溝を経て上部溝に移動するように該カバー体を該案内溝のクランク状の屈折に沿って一旦傾動させて上方にスライドすることにより針が該カバー体の下部より露出するようにしたことを特徴とする。
【発明の効果】
【０００５】
クランク状の屈折に係合することでカバー体が針を被覆した状態に保持され、針を露出させるには該カバー体を手で摘んでクランク状の屈折に沿って一旦傾動させて上方にスライドする必要があることから、カバー体を指で単に押すだけで針が露出してしまうようなこともなく、針が確実に被覆され、安全に取り扱うことができる。
【実施例１】
【０００６】
次に本発明に係る製図用具の実施例をコンパスについて説明する。図１は本発明に係るコンパスの斜視図で、鉛筆１が着脱自在に保持される脚部２と、下端に針３が突出するように設けられた脚部４とが枢着部５に開角度調節可能に枢着されている。６は該枢着部５に設けられた摘子である。なお、脚部２および脚部４は鋳造により形成されている。また、７は針３を図２に示したような露出状態、または図３に示したような被覆状態にできるように、脚部４の下半部にスライド可能に設けられたプラスチック製のカバー体である。
【０００７】
カバー体７を取り外したときの脚部４の斜視図を図４に示したように、脚部４の段部４ｂ以下の下半部４ｃは厚さｄが上半部４ａよりも薄手に形成され、幅ｈも上半部４ａよりも幅狭に形成されている。そして該下半部４ｃの両側面に、下部溝８ａと中間部溝８ｂと上部溝８ｃとをクランク状に屈折した形態に穿設してなる案内溝８が形成される。なお、下部溝８ａは脚部４の内側縁に沿うように形成され、中間部溝８ｂは該下部溝８ａの上端から該脚部４の外側縁に向けて略々直交状に形成され、上部溝８ｃは該中間部溝８ｂの外端から該脚部４の内側縁に向けて傾斜状に形成されたものである。また、案内溝８の深さは全長に亘り０．３ｍｍ程度の一定深さに形成される。９は下半部４ｃの外面に上半部４ａより垂下するように一体に延設されたリブである。
【０００８】
一方、カバー体７は図４，図５に示したように、脚部４の下半部４ｃを両側から挟着し得るように横断面コ字形に形成され、その上部７ａの背面にスリット１０が形成され、やや細幅に形成された下部７ｂの背面にはスリット１１が形成されている。該スリット１０は前記リブ９が隙間無く遊嵌し得るようにタイトに形成され、スリット１１は該カバー体７の下端面まで連続していて針３を該スリット１１から外に露出させ得るように形成されている。また、カバー体７の相対する両内側面に上下間隔を離して下部突起１２と上部突起１３とを一体に形成している。
そして、該カバー体７を脚部４の下半部４ｃに装着したとき、下部突起１２は下部溝８ａに摺動可能に遊嵌され、上部突起１３は下部溝８ａの上端から中間部溝８ｂを経て上部溝８ｃに亘って摺動可能に遊嵌される。
【０００９】
このため、図６に示されたように、下部突起１２を下部溝８ａの下端に位置させ上部突起１３を該下部溝８ａの上端に位置させることでカバー体７は下降状態に保持されて該カバー体の下部により針３が被覆される。このときカバー体７を指で上方に押したとしても上部突起１３が下部溝８ａの上端部内面に突き当たることで該カバー体７が上方に動くことが防がれるので針３はこの被覆状態に保持される。針３を露出させるにはカバー体７を親指と人差指で摘んで図７に示したように外方に傾斜させることにより上部突起１３を一旦中間部溝８ｂに移動させた後、該上部突起１３を上部溝８ｃに移動させる必要がある。即ち、カバー体７を案内溝８のクランク状の屈折に沿って一旦傾動させてから上方にスライドすることにより図８に示したように上部突起１３を上部溝８ｃに移動させることで針３を該カバー体の下部より露出させることができる。
【００１０】
このように本発明のカバー装置は、カバー体７に形成された上部突起１３がクランク状の屈折に係合することで該カバー体を下降状態に保ち針３を被覆状態に保持するものであるので、むやみにカバー体が開いてしまうことない。また、カバー体の弾性により被覆状態を保持するものでもないので、カバー体の成形精度の良し悪しや凸部の摩耗等により針の被覆機能が損なわれるようなこともない。従って常に品質の安定した製図用具のカバー装置を提供できる。
【００１１】
また、針３を露出させた状態ではカバー体７は図８に示したように脚部４と平行状態となるので、使用に際して針先が見難くなるようなこともない。なお、この実施例に示したカバー装置では、脚部４の両側面に案内溝８を形成し、カバー体７の両内側面に夫々下部突起１２，上部突起１３を形成したが、案内溝８や下部突起１２，上部突起１３は一方の側面にだけ形成してもよい。
【図面の簡単な説明】
【００１２】
【図１】本発明の実施例を示すコンパスの斜視図。
【図２】図１のコンパスの脚部の拡大斜視図。
【図３】図２の脚部の針をカバー体により被覆したときの斜視図。
【図４】図２の脚部のカバー体を取り外したときの斜視図。
【図５】図４のカバー体の視角を変えた斜視図。
【図６】図２の脚部の針をカバー体により被覆したときの部分断面正面図。
【図７】図６のカバー体を外方に傾斜させたときの部分断面正面図。
【図８】図６のカバー体を上方にスライドさせ針を露出させたときの部分断面正面図。
【図９】図８のＡ−Ａ線断面図。
【図１０】図８のＢ−Ｂ線断面図。
【符号の説明】
【００１３】
３      針
４      脚部
５      枢着部
７      カバー体
８      案内溝
８ａ    下部溝
８ｂ    中間部溝
８ｃ    上部溝
１２    下部突起
１３    上部突起
【図１】
2006239951.tif 000003
【図２】
2006239951.tif 000004
【図３】
2006239951.tif 000005
【図４】
2006239951.tif 000006
【図５】
2006239951.tif 000007
【図６】
2006239951.tif 000008
【図７】
2006239951.tif 000009
【図８】
2006239951.tif 000010
【図９】
2006239951.tif 000011
【図１０】
2006239951.tif 000012